(57)【要約】      （修正有）【課題】ボトル内の液体の残余量が少なくなっても、パイプから液体を吸引して噴出でき、液体を全て使いきって液体の無駄が生じるのを無くすことができる噴霧器を提供する。【解決手段】噴霧器１０を、化粧品や消臭剤等の液体１２を入れる中空部１４を有する筒状の透明なボトル１６と、ボトル１６内の液体１２をボトル１６の外部に流出させる２つの液体噴霧機構１０６−１、１０６−２とから構成した。一方の液体噴霧機構１０６−１は、ボトル１６の中空部１４内において、他方の液体噴霧機構１０６−２付近まで真っ直ぐに延びるパイプ１８−１を備える。他方の液体噴霧機構１０６−２は、Ｖ字状に曲がっており、先端２０−２がボトル１６の中空部１４の底面２２−２の隅部２４−２近辺に至るパイプ１８−２を備える。【選択図】図１
0003214502.tif 000002
【実用新案登録請求の範囲】
【請求項１】
液体を入れる中空部を有するボトルと、
前記ボトルの両端に各々取り付けられ、該ボトル内の液体を吸引するパイプを有し、該パイプが吸引した該液体を該ボトルの外部に流出させる２つの液体噴霧機構と、を備えた噴霧器であって、
少なくとも一の液体噴霧機構が有するパイプの先端が前記ボトルの前記中空部の底面の隅部近辺に至る噴霧器。
【請求項２】
前記ボトルの前記中空部の底面の隅部近辺に前記先端が至るパイプがＵ字又はＶ字形状である請求項１に記載する噴霧器。
【請求項３】
２つの前記液体噴霧機構から流出する液体の粒子の寸法又は流出速度が異なる請求項１又は２に記載する噴霧器。
【考案の詳細な説明】
【技術分野】
【０００１】
本考案は、ボトルに入れた化粧品や消臭剤等の液体を噴霧する噴霧器に関する。
【背景技術】
【０００２】
図６に、従来の噴霧器１００を示す。噴霧器１００は、化粧品等の液体１０２を入れるボトル１０４と、ボトル１０４に着脱可能に螺合された液体噴霧機構１０６とを備えて構成されている。液体噴霧機構１０６は、図７に示すように、ボトル１０４に螺合されたキャップ１０８と、ボトル１０４内の液体１０２を吸い上げるためのパイプ１１０と、吸い上げた液体１０２を噴出する噴出経路１１２を有しキャップ１０８に対してボトル１０４の長手方向に移動する移動部材１１４と、パイプ１１０に液体１０２を吸い上げさせ又は液体１０２を噴出経路１１２に流入させる吸引機構１１６とを備えている。移動部材１１４の噴出経路１１２は、流入口１１８から流出口１２０まで通じている。吸引機構１１６は、キャップ１０８に固定され、パイプ１１０から吸い上げた液体１０２を一旦滞留させる中空部１２１を有する液体滞留器１２２と、液体１０２のパイプ１１０への逆流を防止する逆流防止弁１２４と、ボトル１０４から離隔する方向に付勢力を移動部材１１４に加えるバネ１２６と、液体滞留器１２２内で移動部材１１４に対してボトル１０４の長手方向に摺動し、流入口１１８を閉鎖又は開放させる摺動部材１２８と、摺動部材１２８のボトル１０４の長手方向の摺動を規制する規制部材１３０とを備えている。
【０００３】
噴霧器１００は、まず一旦移動部材１１４を手でボトル１０４に接近する方向へ押して、図８に示すように、バネ１２６の付勢力に抗してキャップ１０８に対してボトル１０４に接近する方向へ移動させると、摺動部材１２８は規制部材１３０によってボトル１０４に接近する方向摺動が規制され、流入口１１８は摺動部材１２８から開放される。このため、液体滞留器１２２の中空部１２１内の空気が流入口１１８に流入し、中空部１２１内の圧力が大気圧より大きくなることなく、バネ１２６が最も縮む位置まで移動部材１１４をキャップ１０８に対してボトル１０４に接近する方向へ移動させることができる。
【０００４】
次に、移動部材１１４から手を離すと、図９に示すように、移動部材１１４がバネ１２６の付勢力によってボトル１０４から離隔する方向に押圧される。この時、流入口１１８が摺動部材１２８によって塞がれ、中空部１２１内が一旦半真空状態となり、液体１０２の中の一部の液体１０３が、パイプ１１０から吸い上げられ、中空部１２１内に溜められる。すなわち、吸引機構１１６は、パイプ１１０に液体１０２を吸い上げさせる。再び移動部材１１４を手でボトル１０４に接近する方向に押して移動させると、摺動部材１２８が規制部材１２８によってボトル１０４に接近する方向への摺動が規制され、流入口１１８が開放される。このため、中空部１２１内に溜められていた液体１０３が、流入口１１８に流入し、噴出経路１１２を介して流出口１２０から噴出される。すなわち、吸引機構１１６は、液体１０２を噴出経路１１２から噴出させる。液体１０２は、加圧空気とともに流出口１２０から噴出されることにより、流出口１２０から出た時に拡散し、噴霧状となる。
【０００５】
噴霧器１００を多数回使用すると、図１０に示すように、ボトル１０４内の液体１０２の残余量が少なくなり、パイプ１１０の先端が液体１０２に届かなくなる。この場合、液体１０２をパイプ１１０を介して中空部１２８内へ吸引するための図８及び図９４に示す動作を行っても、液体１０２を中空部１２８内へ吸引することはできない。一方で、パイプ１１０をより長くすると、パイプ１１０の先端がボトル１０４の底面に密着し、液体１０２をパイプ１１０内へ吸引することができない。このため、液体１０２を全て使いきることができず、液体１０２の無駄が生じる。
【先行技術文献】
【特許文献】
【０００６】
【特許文献１】特開２０１０−２４７５０１号公報
【考案の概要】
【考案が解決しようとする課題】
【０００７】
本考案の目的は、ボトル内の液体の残余量が少なくなっても、パイプから液体を吸引して噴出でき、液体を全て使いきって液体の無駄が生じるのを無くすことができる噴霧器を提供することにある。
【課題を解決するための手段】
【０００８】
本考案の噴霧器は、液体を入れる中空部を有するボトルと、
前記ボトルの両端に各々取り付けられ、該ボトル内の液体を吸引するパイプを有し、該パイプが吸引した該液体を該ボトルの外部に流出させる２つの液体噴霧機構と、を備えた噴霧器であって、
少なくとも一の液体噴霧機構が有するパイプの先端が前記ボトルの前記中空部の底面の隅部近辺に至ることを特徴とする。
また、本考案の噴霧器は、前記噴霧器において、前記ボトルの前記中空部の底面の隅部近辺に前記先端が至るパイプがＵ字又はＶ字形状であることを特徴とする。
また、本考案の噴霧器は、前記噴霧器において、２つの前記液体噴霧機構から流出する液体の粒子の寸法又は流出速度が異なることを特徴とする。
【考案の効果】
【０００９】
本考案の噴霧器によれば、ボトル内の液体の残余量が少なくなっても、噴霧器を傾けて、残余の液体をボトルの中空部の底面の隅部に寄せ、先端が隅部にまで及ぶパイプによって液体を吸引し、そのパイプを有する液体噴霧機構から液体を噴出させることができる。このため、液体を殆ど全て使いきることができ、液体の無駄が生じるのを極力無くすことができる。
【図面の簡単な説明】
【００１０】
【図１】本考案の噴霧器を示す正面断面図である。
【図２】図１の噴霧器の使用状態を示す正面断面図である。
【図３】本考案の噴霧器の他の実施形態を示す正面断面図である。
【図４】本考案の噴霧器の更に他の実施形態を示す正面断面図である。
【図５】本考案の噴霧器の更に他の実施形態を示す断面図である。
【図６】従来の噴霧器を示す正面断面図である。
【図７】図６の噴霧器を示す拡大正面断面図である。
【図８】図６の噴霧器において移動部材をボトルに接近させる方向へ移動させる状態を示す拡大正面断面図である。
【図９】図６の噴霧器において移動部材がボトルから離隔する方向へ移動させられる状態を示す拡大正面断面図である。
【図１０】従来の噴霧器において液体の残余量が少なくなった状態を示す正面断面図である。
【考案を実施するための形態】
【００１１】
本考案の噴霧器について図面に基づいて説明する。図１において、符号１０は、本考案の噴霧器である。
【００１２】
（構成）
本考案の噴霧器１０は、化粧品や消臭剤等の液体１２を入れる中空部１４を有する筒状の透明なボトル１６を備える。ボトル１６の断面形状は円形であるが、多角形等、特に限定されない。ボトル１６の長手方向両端には、ボトル１６内の液体１２をボトル１６の外部に流出させる液体噴霧機構１０６−１及び１０６−２が螺合されている。
【００１３】
液体噴霧機構１０６−１は、ボトル１６に螺合されたキャップ１０８−１と、ボトル１６内の液体１２を吸い上げるためのパイプ１８−１と、吸い上げた液体１２を噴出する噴出経路１１２−１を有しキャップ１０８−１に対してボトル１６の長手方向に移動する移動部材１１４−１と、パイプ１８−１に液体１２を吸い上げさせ又は液体１２を噴出経路１１２−１に流入させる吸引機構１１６−１とを備えている。パイプ１８−１は、ボトル１６の中空部１４内において、液体噴霧機構１０６−２付近まで真っ直ぐに延びている。キャップ１０８−１、移動部材１１４−１、及び吸引機構１１６−１は、上記「背景技術」で図１及び図２に基づいて説明したキャップ１０８、移動部材１１４、及び吸引機構１１６と、各々同じ構成であるので、詳細な説明を省略する。
【００１４】
液体噴霧機構１０６−２は、ボトル１６に螺合されたキャップ１０８−２と、ボトル１６内の液体１２を吸引するためのパイプ１８−２と、吸引した液体１２を噴出する噴出経路１１２−２を有しキャップ１０８−２に対してボトル１６の長手方向に移動する移動部材１１４−２と、パイプ１８−２に液体１２を吸引させ又は液体１２を噴出経路１１２−２に流入させる吸引機構１１６−２とを備えている。パイプ１８−２は、Ｖ字状又はＵ字状に曲がっており、先端２０−２がボトル１６の中空部１４の底面２２−２の隅部２４−２近辺に至るように構成されている。キャップ１０８−２、移動部材１１４−２、及び吸引機構１１６−２は、上記「背景技術」で図１及び図２に基づいて説明したキャップ１０８、移動部材１１４、及び吸引機構１１６と、各々同じ構成であるので、詳細な説明を省略する。
【００１５】
(作用)
噴霧器１０は、図１に示す状態から液体噴霧機構１０６−１が螺子回されてボトル１６から取り外され、ボトル１６の中空部１４に化粧品や消臭剤等の液体１２が入れられた後、図１に示すように、液体噴霧機構１０６−１がボトル１６に螺合される。
【００１６】
まず、図１に示すように、液体噴霧機構１０６−１側を上にして、液体噴霧機構１０６−１から液体１２を噴出させる。液体噴霧機構１０６−１からの液体１２の噴出は、上記「背景技術」で図２〜図４に基づいて説明した作用と同じ作用により行われる。すなわち、一旦移動部材１１４−１を手でボトル１６に接近させる方向に押して、移動部材１１４−１をキャップ１０８−１に対してボトル１６に接近させる方向へ移動させた後に、移動部材１１４−１から手を離してバネ１２６によって移動部材１１４−１をボトル１６から離隔する方向に移動させ、液体１２をパイプ１８−１を介して液体噴霧機構１０６−１の中空部１２１内に吸引し、再び移動部材１１４−１を手でボトル１６に接近する方向へ移動させることにより、液体１２を液体噴霧機構１０６−１から噴出させる。
【００１７】
噴霧器１０を多数回使用すると、ボトル１６内の液体１２の残余量が少なくなり、パイプ１８−１の先端２０−１が液体１２に届かなくなる。この場合、液体１２をパイプ１８−１を介して液体噴霧機構１０６−１の中空部１２８内へ吸引するために、移動部材１１４−１を手でボトル１６に接近する方向へ押すこと等を行っても、液体１２を液体噴霧機構１０６−１の中空部１２８内へ吸引することはできない。
【００１８】
そこで、図２に示すように、噴霧器１０を傾けて、残余の液体１２（図２にドットハッチングで示す）をボトル１６の中空部１４の底面２２−２の隅部２４−２に寄せ、液体１２内にパイプ１８−２の先端２０−２が入る状態にする。図２に示すように噴霧器１０を傾けた状態で、液体噴霧機構１０６−２から液体１２を噴出させる。液体噴霧機構１０６−２からの液体１２の噴出は、上記「背景技術」で図２〜図４に基づいて説明した作用と同様の作用により行われる。すなわち、一旦移動部材１１４−２を手で押して、移動部材１１４−２をキャップ１０８−２に対して斜め上へ移動させた後に、移動部材１１４−２から手を離して、液体１２をパイプ１８−２を介して液体噴霧機構１０６−２の中空部１２１内に吸引し、再び移動部材１１４−２を手でボトル１６に接近させる方向へ移動させることにより、液体１２を液体噴霧機構１０６−２から噴出させる。液体１２を、複数回、液体噴霧機構１０６−２から噴出させることにより、液体１２の残余は略無くなる。
【００１９】
（効果）
本考案の噴霧器１０によれば、ボトル１６内の液体１２の残余量が少なくなっても、噴霧器１０を傾けて、残余の液体１２をボトル１６の中空部１４の底面２２−２の隅部２４−２に寄せ、パイプ１８−２から液体１２を吸引し、液体噴霧機構１０６−２から液体１２を噴出させることができる。このため、液体１２を殆ど全て使いきることができ、液体１２の無駄が生じるのを極力無くすことができる。
【００２０】
以上、本考案の実施形態について説明したが、本考案は上述の実施形態に限定されない。
【００２１】
例えば、図３に示す噴霧器３０であってもよい。噴霧器３０は、化粧品等の液体１２を入れる中空部１４を有する筒状のボトル１６を備え、ボトル１６の長手方向両端には、ボトル１６内の液体１２をボトル１６の外部に流出させる液体噴霧機構１０６−１及び１０６−２が螺合されている。
【００２２】
噴霧器３０の液体噴霧機構１０６−１は、図１に示す噴霧器１０と同様に、キャップ１０８−１と、移動部材１１４−１と、吸引機構１１６−１とを備えている。噴霧器３０の液体噴霧機構１０６−１が備えるパイプ１８−１は、途中から湾曲し、先端２０−１がボトル１６の中空部１４の底面２２−２の隅部２４−２近辺に至るように構成されている。液体噴霧機構１０６−１と１０６−２とは、見分けができるように、各々色や形状を異ならせてもよい。
【００２３】
噴霧器３０の液体噴霧機構１０６−２は、図１に示す噴霧器１０と同様に、キャップ１０８−２と、移動部材１１４−２と、吸引機構１１６−２とを備えている。噴霧器３０の液体噴霧機構１０６−２が備えるパイプ１８−２は、途中から湾曲し、先端２０−２がボトル１６の中空部１４の底面２２−１の隅部２４−１近辺に至るように構成されている。
【００２４】
噴霧器３０は、液体噴霧機構１０６−１の流出口１２０−１の口径と、液体噴霧機構１０６−２の流出口１２０−２の口径とが異なるように構成されている。流出口１２０−１の口径と流出口１２０−２の口径とが異なることにより、液体１２が加圧空気とともに流出口１２０−１から噴出されて拡散して生じる噴霧の粒子の寸法と、液体１２が加圧空気とともに流出口１２０−２から噴出されて拡散して生じる噴霧の粒子の寸法とが異なる。例えば、流出口１２０−１の口径が流出口１２０−２の口径よりも大きい場合には、流出口１２０−１から生じる噴霧の粒子は流出口１２０−２から生じる噴霧の粒子よりも大きくなる。
【００２５】
噴霧器３０によれば、パイプ１８−１の先端２０−１がボトル１６の中空部１４の底面２２−２の隅部２４−２近辺に至るように構成され、パイプ１８−２の先端２０−２がボトル１６の中空部１４の底面２２−１の隅部２４−１近辺に至るように構成されているため、液体１２の残余量が少なくなった場合には、噴霧器３０を傾けて液体１２を底面２２−２の隅部２４−２又は底面２２−１の隅部２４−１に寄せることにより、液体１２を略全部使いきることができる。また、流出口１２０−１から生じる噴霧の粒子の寸法と流出口１２０−２から噴出されて生じる噴霧の粒子の寸法とが異なるため、用途に応じて、流出口１２０−１又は流出口１２０−２のいずれか一方から液体１２を噴出させることができる。例えば、流出口１２０−１から生じる噴霧の粒子が流出口１２０−２から生じる噴霧の粒子よりも大きい場合であって、液体１２が全身シャンプーである場合には、髪の毛には流出口１２０−１から液体に近い状態の噴霧を当て、胴体には流出口１２０−２から泡状の噴霧を当てることができる。
【００２６】
また、本考案の噴霧器１０において、図４に示すように、移動部材１１４−２が平面状の外底面３６を有する拡幅部３２を備えてもよい。外底面３６を下にしてテーブル３４等の上に安定した状態で載置できる。
【００２７】
また、本考案の噴霧器１０において、例えば、図５に示すように、ボトル１６の断面形状が平面の側面３８を有する略半円形であってもよい。側面３８を下にしてテーブル３４等の上に安定した状態で載置できる。
【００２８】
その他、本考案は、その主旨を逸脱しない範囲で当業者の知識に基づき種々の改良、修正、変更を加えた態様で実施できるものである。例えば、本考案は、ボトルに３個又は４個の液体噴霧機構を取り付けて構成してもよい。
【符号の説明】
【００２９】
１０、３０：噴霧器
１２：液体
１４：中空部
１６：ボトル
１８−１、１８−２：パイプ
２０−１、２０−２：先端
２２−１、２２−２：底面
２４−１、２４−２：隅部
１０６−１，１０６−２：液体噴霧機構
１０８−１、１０８−２：キャップ
１１２−１、１１２−２：噴出経路
１１４−１、１１４−２：移動部材
１１６−１、１１６−２：吸引機構
【図１】
0003214502.tif 000003
【図２】
0003214502.tif 000004
【図３】
0003214502.tif 000005
【図４】
0003214502.tif 000006
【図５】
0003214502.tif 000007
【図６】
0003214502.tif 000008
【図７】
0003214502.tif 000009
【図８】
0003214502.tif 000010
【図９】
0003214502.tif 000011
【図１０】
0003214502.tif 000012